(57)【特許請求の範囲】
【請求項１】
屋根の軒先部分の下側に、軒樋が配設されていると共に、
該軒樋の下側に、軒樋を覆うように二次樋が配設され、
該二次樋が、前記屋根に対して樋支持部材を用いて取付けられ、
該樋支持部材が、前記屋根を構成する屋根フレームに螺着されるボルト部材を備えると共に、
前記樋支持部材が、前記二次樋の底部を支持するための支持プレートを備え、
前記支持プレートが、前記ボルト部材に、前記二次樋の高さを調整可能に取り付けられていることを特徴とする樋支持構造。
【請求項２】
屋根の軒先部分の下側に、軒樋が配設されていると共に、
該軒樋の下側に、軒樋を覆うように二次樋が配設され、
該二次樋が、前記屋根に対して樋支持部材を用いて取付けられていると共に、
該樋支持部材が、側面視Ｌ字状の台座プレートとされていることを特徴とする樋支持構造。
【請求項３】
請求項２に記載の樋支持構造であって、
前記側面視Ｌ字状の台座プレートが、前記二次樋の底部を支持するための横面部と、該横面部の軒元側から上方へ延びる縦面部とを備えると共に、
該台座プレートの縦面部の上端部に前記屋根を構成する屋根フレームに固定するための固定部を有していることを特徴とする樋支持構造。
【請求項４】
請求項２または請求項３に記載の樋支持構造であって、
前記二次樋の底部と前記台座プレートの横面部との間にスペーサが介在されていることを特徴とする樋支持構造。
【請求項５】
請求項１ないし請求項４のいずれか１項に記載の樋支持構造を備えていることを特徴とする建物。
【請求項６】
屋根を構成する屋根フレームに、樋支持部材を構成するボルト部材を取り付ける工程と、
屋根の軒先部分の下側に二次樋を配設する工程と、
前記ボルト部材に支持プレートおよび高さ調整ナットを取り付けて二次樋の底部を仮保持する工程とを行い、
更に、ボルト部材に対する高さ調整ナットの螺着位置を変更して支持プレートの高さを変えることにより、二次樋に排水勾配を与える工程を行うこと特徴とする樋設置方法。
【発明の詳細な説明】
【技術分野】
【０００１】
この発明は、樋支持構造、建物、樋設置方法に関するものである。
【背景技術】
【０００２】
建物の上部には屋根が取付けられており、屋根の軒先側の部分（軒先部分）には軒樋が取付けられている（例えば、特許文献１〜特許文献６参照）。
【先行技術文献】
【特許文献】
【０００３】
【特許文献１】特開２００１−２７１４６６号公報
【特許文献２】特開２００２−１５５６０３号公報
【特許文献３】特開昭６０−３７３６０号公報
【特許文献４】特開平１０−１８５３０号公報
【特許文献５】特開２０１４−２１４４２１号公報
【特許文献６】実開昭６２−１２４１２９号公報
【発明の概要】
【発明が解決しようとする課題】
【０００４】
一般に、軒樋は一重構造となっているため、多量降雨時などにオーバーフローした雨水が軒樋から直接落下してしまうという問題があった。
【０００５】
また、屋根に対する軒樋の取付けには、様々な種類の軒樋取付具が用いられていたため、軒樋取付具の部品点数や部品バリエーションが多くなっていた。しかも、軒樋は排水勾配を有して取付ける必要があるため、軒樋取付具の構造が複雑となっていた。例えば、特許文献１のものは、軒樋を化粧部材と同時に建物本体に取付ける特殊な構造となっていた。
【０００６】
更に、軒樋取付具は、特に軒樋を仮保持する機能を有していなかったため、屋根の軒先部分に軒樋などを設置する際に、長尺の軒樋を支え続けていなければならず、作業者の負担が大きかった。
【０００７】
そして、上記した特許文献２および特許文献３では、軒樋の両側上縁部に設けられた外フランジ部を、屋根部に設けられている係止部によって下側から受けさせるようにして軒樋を設置するようにしている。しかし、特許文献２および特許文献３のものは、多量降雨時などに軒樋をオーバーフローした雨水が軒樋から直接落下するのを防止できないという問題があった。また、軒樋を仮保持する手段も備えていなかった。そして、特許文献４では、軒樋を軒天井に直接固定させるようにしている。しかし、特許文献４のものは、軒樋を軒天井に直接固定させていたため、軒樋をオーバーフローした雨水が直接軒天井にかかって軒天井を濡らしてしまうという問題があった。
【０００８】
また、特許文献５では、屋根材に形成されている排水口に対して配管を接続するようにしている。特許文献６では、屋根の上パネルを樋状に加工している。しかし、特許文献５および特許文献６のものは、軒樋を用いない特殊な構造となっているため、一般的なものではなかった。
【０００９】
そこで、本発明は、上記した問題点を解決することを、主な目的としている。
【課題を解決するための手段】
【００１０】
上記課題を解決するために、本発明は、
屋根の軒先部分の下側に、軒樋が配設されていると共に、
該軒樋の下側に、軒樋を覆うように二次樋が配設され、
該二次樋が、前記屋根に対して樋支持部材を用いて取付けられ、
該樋支持部材が、前記屋根を構成する屋根フレームに螺着されるボルト部材を備えると共に、
前記樋支持部材が、前記二次樋の底部を支持するための支持プレートを備え、
前記支持プレートが、前記ボルト部材に、前記二次樋の高さを調整可能に取り付けられていることを特徴とする。
【発明の効果】
【００１１】
本発明によれば、上記構成によって、軒樋のオーバーフローを防止するための二次樋を容易に設置できるようにする。
この際、二次樋が、屋根に対して樋支持部材を用いて取付けられるようにした。これにより、二次樋を独立して屋根に取付けることができるようになり、二次樋の取付作業を単純化することができる。
また、樋支持部材が、ボルト部材を備えると共に、このボルト部材を、屋根を構成する屋根フレームに螺着させるようにした。これにより、ボルト部材は屋根フレームに螺着するだけで簡単にセットすることができるので、樋支持部材の設置を容易化することができる。
樋支持部材が支持プレートを備えた。これにより、支持プレートで二次樋の底部を確実に支持することができる。  そして、ボルト部材に取り付けられた支持プレートによって、二次樋の高さを調整することが可能となる。
【図面の簡単な説明】
【００１２】
【図１】実施例１の樋支持構造を示す軒先部分の側面図である。
【図２】屋根ユニット、および、屋根板材の軒先部分におけるボルト取付部の状況を示す斜視図である。
【図３】（ａ）は軒樋の平面図、（ｂ）は軒樋の側面図である。
【図４】（ａ）（ｂ）（ｃ）は、高さの異なる複数のスペーサを示す端面図である。
【図５】屋根を構成する屋根板材と、屋根板材の下側に設置される軒樋との関係を示す分解斜視図である。
【図６】図１のボルト部材の拡大側面図である。
【図７】樋支持部材の設置位置を示す二次樋の側面図である。
【図８】樋支持部材の設置位置を示す別の二次樋の側面図である。
【図９】（ａ）は図１の支持プレートの側面図、（ｂ）はその平面図である。
【図１０】図１の樋支持部材の部分拡大図である。
【図１１】軒先部分に対してボルト部材を取付けた状態を示す側面図である。
【図１２】軒先部分に対して二次樋を保持した状態を示す側面図である。
【図１３】軒先部分に対して支持プレートを取付ける状態を示す側面図である。
【図１４】軒先部分に取付けた二次樋の高さ調整を行う状態を示す側面図である。
【図１５】二次樋の高さ調整が行われた状態を示す側面図である。
【図１６】実施例２の樋支持構造を示す軒先部分の側面図である。
【発明を実施するための形態】
【００１３】
以下、本実施の形態を、図面を用いて詳細に説明する。
図１〜図１６は、この実施の形態を説明するためのものである。このうち、図１〜図１５が実施例１、図１６が実施例２に関するものである。
【実施例１】
【００１４】
＜構成＞以下、構成について説明する。
【００１５】
図１に示すように、戸建住宅などの建物１は、建物本体２と、屋根３とを有している。この場合、上記した建物１は、ユニット建物とされている。但し、建物１は、ユニット建物に限るものではない。
【００１６】
上記したユニット建物は、要するに、工場で予め製造した複数の建物ユニットなどを建築現場へ搬送して現場で組み立てることによって、短期間のうちに建物１を構築できるようにしたものである。
【００１７】
ユニット建物の場合、建物本体２を構成する建物ユニット（例えば、鋼製ユニット）は、例えば、４本のユニット柱の上端部間を４本の天井梁５で矩形状に連結すると共に、４本のユニット柱の下端部間を４本の床梁で矩形状に連結したボックスラーメン構造のユニットフレームを有するものなどとされる。ユニットフレームの外面側には、外壁材６などが取付けられる。
【００１８】
また、屋根３は、ほぼ水平に近い緩い勾配の陸屋根とされており、屋根３を構成する屋根ユニット７は、例えば、図２に示すように、平行な一対の屋根フレーム１１の間に、溶融アルミニウムめっき鋼板などでできた屋根板材１２を架設して一体化したものなどとされる。屋根フレーム１１は、ウエブ部１１ａの上下に一対のフランジ部１１ｂ，１１ｃを有する内向きのＣ型断面の鋼材とされている。屋根板材１２は、屋根フレーム１１に沿って延びるＵ字断面のものとされており、その両側部に形成されたフランジ状の係止部１２ａが屋根フレーム１１の上側のフランジ部１１ｂに上側から係止されるようになっている。なお、図１に示すように、屋根板材１２の下側には、野地板１３が設置されており、屋根板材１２と野地板１３とによって屋根葺材１４が構成されている。
【００１９】
更に、屋根フレーム１１の上側のフランジ部１１ｂの部分には、太陽電池パネル１５が取付金具１６を用いて一体に取付けられるようになっている。
【００２０】
そして、上記した屋根ユニット７は、最上階に位置する建物ユニットの上部に対して複数並設される。この際、隣接する屋根ユニット７の間は、カバー部材などで覆われる。そして、建物本体２に対して屋根３を一部張り出すように取付けることによって軒先部分２１が形成される。屋根葺材１４や太陽電池パネル１５は、軒先部分２１の先端（軒先側）へ向かって下り勾配となるように斜めに設置される。
【００２１】
更に、屋根３の軒先部分２１の先端には、パラペット２２が取付けられる。そして、建物１の屋根３に形成された軒先部分２１の裏面には軒天井パネル材２３が取付けられる。このように、軒先部分２１の裏面に軒天井パネル材２３を取付けることで、建物１の軒天井構造が形成される。この軒天井構造では、軒天井パネル材２３は、パラペット２２の下部と、建物本体２の外壁材６の上端部との間を塞ぐように取付けられる。この場合、軒天井パネル材２３は、屋根フレーム１１の先端下部と、天井梁５の側面との間に取付金具２５，２６などを介して取付けられる。
【００２２】
そして、以上のような基本的または全体的な構成に対し、この実施例の樋支持構造は、以下のような構成を備えている。
【００２３】
（１−１）屋根３の軒先部分２１の下側に、軒樋３１が配設されている。
この軒樋３１の下側に、軒樋３１を覆うように二次樋３２が配設されている。
【００２４】
ここで、軒樋３１は、軒先部分２１の先端下部に沿って（図１の紙面と直交する方向へ）延びる長尺のものとされている。また、二次樋３２は軒樋３１の全長に渡って延びる長尺のものとされている。二次樋３２は、少なくとも軒樋３１の下部を収容可能なＵ字断面状のものとされている。軒樋３１と二次樋３２との間には、長手方向に対し、所要の間隔を有して複数のスペーサ３３が設置されている。
【００２５】
この軒樋３１および二次樋３２は、延設方向に対して所要の排水勾配を有するものとされる。軒樋３１は、図３（ａ）（ｂ）に示すように、その底面に傾斜部３１ａ（ｗ１＜ｗ２）を設けることで排水勾配が形成されている。二次樋３２の排水勾配については後述する。スペーサ３３は、軒樋３１や二次樋３２と比べて短いものとされ、図４（ａ）（ｂ）（ｃ）に示すように、排水勾配に応じて高さの異なるものがそれぞれ使用される。スペーサ３３は、どのようなものとしても良いが、図のスペーサ３３（Ａ，Ｂ，Ｃ）はハット型断面をした金属製のスペーサ本体３３ａの上下面に弾性部材３３ｂ，３３ｃを取付けたものなどとされている。
【００２６】
なお、図１に示すように、軒樋３１および二次樋３２における排水勾配の下流側には、集水器３５を介して竪樋が設けられる。軒樋３１および二次樋３２は、軒先部分２１の下側における、天井梁５とパラペット２２と軒天井パネル材２３とによって囲われた空間の内部に設置される。
【００２７】
（１−２）上記軒樋３１が、上記軒先部分２１の下側で、屋根３を構成する屋根板材１２に直接当接配置されるようにしている。
【００２８】
ここで、屋根ユニット７における屋根葺材１４は、軒先部分２１では、屋根板材１２のみが延在されるようになっている。そして、屋根板材１２の軒先部分２１の下部には、図５に示すように、流水孔４１が形成されている。流水孔４１は、各屋根板材１２につき１個ずつ形成されるようにしている。流水孔４１は、軒樋３１の長手方向へ延びる長孔状のものとされている。そして、軒樋３１は、角筒状のものとされており、軒樋３１の上面には、流水孔４１と連通する開口部４２が形成されている。この開口部４２の周縁部には、流水孔４１の周縁部に密接するシール材４３が取付けられて、水漏れ（例えば、「すが漏れ」などと呼ばれる現象）を防止できるようになっている。なお、軒樋３１の上面における開口部４２以外の部分は塞がれている。また、屋根フレーム１１の軒先部分２１には、二次樋３２へ向かう水切部４５が適宜設けられている。
【００２９】
更に、図１では、屋根フレーム１１における流水孔４１の位置の下側には、軒樋３１の上部を収容設置するための凹部４４が切欠状に形成されている。軒樋３１は、この凹部４４内に、開口部４２が流水孔４１と合致するように配設された状態で、二次樋３２とスペーサ３３とによって下側から保持される。
【００３０】
（１−３）上記二次樋３２が、上記屋根３に対して樋支持部材５１を用いて取付けられている。
この樋支持部材５１が、上記屋根３を構成する屋根フレーム１１に螺着される（または取付けられる）ボルト部材５２（図６参照）を備えている。
【００３１】
ここで、樋支持部材５１は、どのようなものであっても良いが、好ましくは、以下のようなものとする。
【００３２】
図２に示すように、ボルト部材５２は、両端に頭部のない全ネジ（の長ボルト）などとされている。そして、屋根フレーム１１の下側のフランジ部１１ｃには、ボルト取付部５５が設置されている。このボルト取付部５５は、フランジ部１１ｃと平行な金属プレートとされており、ボルト取付部５５には、ボルト部材５２の上端部を垂直に螺着できるように、上下方向へ延びるネジ穴が形成されると共に、このネジ穴の上端部にボルト部材５２の上端部が螺着されるナット部材５６が取付けられている。
【００３３】
そして、このボルト部材５２は、図１に示すように、二次樋３２の幅方向の両側（軒元側と軒先側）に対を成すようにして設けられる。そして、このボルト部材５２の対は、図７、図８に示すように、二次樋３２の長手方向に対し、二次樋３２の支持に必要な間隔を有して複数設けられる。
【００３４】
（１−４）上記樋支持部材５１が、上記二次樋３２の底部３２ａを支持するための支持プレート６１（図９参照）を備えていると共に、
この支持プレート６１が、上記ボルト部材５２に、二次樋３２の高さを調整可能に取り付けられている。
【００３５】
ここで、支持プレート６１は、二次樋３２の底部３２ａの幅寸法よりも長い短冊状をした金属板とされている。短冊状の支持プレート６１の両端には、一対のボルト部材５２を通すための位置調整用の長孔６５が形成されている。支持プレート６１は、図１０に示すように、ボルト部材５２に下端側から高さ調整ナット６６を螺着することによって保持される。なお、ボルト部材５２には、高さ調整ナット６６との間で支持プレート６１を挟む受ナット６７が螺着されている。
【００３６】
（１−５）以下、上記した樋支持構造を設置するため樋設置方法について説明する。
図１１に示すように、屋根３を構成する屋根フレーム１１に、樋支持部材５１を構成するボルト部材５２を取り付ける工程（ボルト取付工程）と、
図１２に示すように、屋根３の軒先部分２１の下側に二次樋３２を配設する工程（二次樋配設工程）と、
図１３〜図１５に示すように、上記ボルト部材５２に支持プレート６１および高さ調整ナット６６を取り付けて二次樋３２の底部３２ａを仮保持する工程（仮保持工程）とを行い、
更に、ボルト部材５２に対する高さ調整ナット６６の螺着位置を変更して支持プレート６１の高さを変えることにより、二次樋３２に排水勾配を与える工程（高さ調整工程）を行う。
【００３７】
なお、二次樋３２を設置する前には、二次樋３２の内部にスペーサ３３を介して軒樋３１を収容する工程（軒樋設置工程）を行うようにする。
【００３８】
＜作用効果＞この実施例によれば、以下のような作用効果を得ることができる。
【００３９】
建物１の屋根３に降った雨水は、屋根板材１２を流下し、屋根板材１２の下縁部に形成された流水孔４１から軒樋３１へ流入し、軒樋３１から（竪樋を介して）外部へ排出される。また、仮に、多量降雨時などに雨水が軒樋３１から溢れた場合には、溢れた雨水は、軒樋３１の下側に配設された二次樋３２によって受けることができる。二次樋３２で受けた雨水は（竪樋を介して）外部へ排出される。
【００４０】
そして、屋根板材１２に形成された流水孔４１の下側の位置に軒樋３１（および二次樋３２）を設置することによって、屋根３と軒樋３１とをシンプルな構造にまとめることができ、軒先廻りの見栄えを向上することができる。
【００４１】
（作用効果１−１）屋根３の軒先部分２１の下側に軒樋３１が配設され、軒樋３１の下側に軒樋３１を覆うように二次樋３２が配設されるようにした。このように軒樋３１の下側に二次樋３２を設けて二重樋構造にすることにより、軒樋３１のオーバーフローを確実に防止することができる。
【００４２】
（作用効果１−２）軒樋３１が、軒先部分２１の下側で、屋根３を構成する屋根板材１２に直接当接配置されるようにした。これにより、軒樋３１の設置スペースを上下方向に短くすることが可能となり、狭いスペースに軒樋３１と二次樋３２とを同時に設置することが可能となる。
【００４３】
また、軒樋３１を、スペーサ３３を介して二次樋３２に支持させることで、軒樋３１を二次樋３２で覆って二重構造する場合に、軒樋３１の取付構造を不要化することができ、樋支持構造を大幅に簡略化することができる。
【００４４】
（作用効果１−３）二次樋３２が、屋根３に対して樋支持部材５１を用いて取付けられるようにした。これにより、二次樋３２を独立して屋根３に取付けることができるようになり、二次樋３２の取付作業を単純化することができる。
【００４５】
また、樋支持部材５１が、ボルト部材５２を備えると共に、このボルト部材５２を、屋根３を構成する屋根フレーム１１に螺着させるようにした。これにより、ボルト部材５２は屋根フレーム１１に螺着するだけで簡単にセットすることができるので、樋支持部材５１の設置を容易化することができる。しかも、二次樋３２は最終的に屋根フレーム１１に対して固定されることになるので、二次樋３２を強固に取付けることができる。
【００４６】
（作用効果１−４）樋支持部材５１が支持プレート６１を備えた。これにより、支持プレート６１で二次樋３２の底部３２ａを確実に支持することができる。また、支持プレート６１がボルト部材５２に取り付けられるようにした。これにより、支持プレート６１で二次樋３２の底部３２ａを仮保持した後、ボルト部材５２に対して支持プレート６１の位置を上下に移動させることで、排水勾配を形成するための二次樋３２の高さ調整を容易に行わせることができる。
【００４７】
この際、樋支持部材５１によって二次樋３２の底部３２ａが仮保持されているので、二次樋３２の設置作業が容易化され、作業者の負担を軽減することができる。
【００４８】
そして、樋支持部材５１が、ボルト部材５２と支持プレート６１とを備えることにより、樋支持部材５１の構造の簡略化を図ることができる。また、樋支持部材５１の構造がシンプルとなるため、部品点数や部品バリエーションの削減を図ることができると共に、様々な形状や構造の軒先部分２１に対して共用することが可能となる。
【００４９】
（作用効果１−５）屋根３を構成する屋根フレーム１１に、樋支持部材５１を構成するボルト部材５２を取り付ける工程（図１１のボルト取付工程）と、屋根３の軒先部分２１の下側に二次樋３２を配設する工程（図１２の二次樋配設工程）と、上記ボルト部材５２に支持プレート６１および高さ調整ナット６６を取り付けて二次樋３２の底部３２ａを仮保持する工程（図１３〜図１５の仮保持工程）とを行い、更に、ボルト部材５２に対する高さ調整ナット６６の螺着位置を変更して支持プレート６１の高さを変えることにより、二次樋３２に排水勾配を与える工程（高さ調整工程）を行うようにする。
【００５０】
この際、ボルト部材５２に支持プレート６１を通して高さ調整ナット６６を取付けることで、簡易な構造の樋支持部材５１を構成することができる。そして、支持プレート６１に二次樋３２の底部３２ａを仮保持させると共に、ボルト部材５２に螺着された高さ調整ナット６６の位置を変更し、支持プレート６１を介して軒樋３１および二次樋３２の高さ調整を行わせることで、軒樋３１および二次樋３２の設置を容易化することが可能となる。なお、軒樋３１については、先に軒先部分２１に設置してから二次樋３２を上記したようにして取付けても良いし、または、軒樋３１を二次樋３２の中に入れた状態で軒樋３１と二次樋３２を同時に設置するようにしても良い。
【実施例２】
【００５１】
＜構成＞以下、構成について説明する。
図１６は、実施例２を示すものである。上記した実施例１とほぼ同様の構成において、樋支持部材５１に、台座プレート７１を用いたものである。
【００５２】
（２−１）即ち、この実施例の樋支持構造は、上記二次樋３２が、上記屋根３に対して樋支持部材５１を用いて取付けられている。
そして、この樋支持部材５１が、側面視Ｌ字状の台座プレート７１とされている。
【００５３】
（２−２）そして、側面視Ｌ字状の台座プレート７１が、上記二次樋３２の底部３２ａを支持するための横面部７２と、この横面部７２の軒元側から上方へ延びる縦面部７３とを備えている。
また、この台座プレート７１の縦面部７３の上端部に、上記屋根３を構成する屋根フレーム１１に固定するための固定部７４を有している。
【００５４】
ここで、縦面部７３は、横面部７２の軒元側から上方へ屈曲され、天井梁５にほぼ沿って屋根３を構成する屋根フレーム１１の下側のフランジ部１１ｃに達するまで上方へ延びるものとされている。固定部７４は、縦面部７３からフランジ部１１ｃに沿って軒先側へ僅かに屈曲するものとされている。また、横面部７２の軒先側には、下方へ屈曲された固定部７５を有している。横面部７２、縦面部７３、固定部７４、固定部７５は、一体物の金具とされている。
【００５５】
そして、軒元側の固定部７４は、屋根フレーム１１の下側のフランジ部１１ｃにボルトナットなどの締結固定具７６によって上下方向に固定されるようになっている。また、軒先側の固定部７５は、取付金具２５ａ（軒天吊り金具）の下端部にビスなどの締結固定具７７によって横方向に固定されるようになっている。
【００５６】
この台座プレート７１は、二次樋３２の長手方向に対し、所要の間隔を有して複数設置される。台座プレート７１は、屋根フレーム１１の下側のフランジ部１１ｃと取付金具２５ａとの両方が存在する位置に設置される。
【００５７】
なお、取付金具２５ａは、上下方向に延びて、その上端部を、屋根フレーム１１の軒先側における上側のフランジ部１１ｂに固定されると共に、その下端部に軒天井パネル材２３の軒先側の部分が取付けられる。
【００５８】
（２−３）必要な場合には、上記二次樋３２の底部３２ａと上記台座プレート７１の横面部７２との間にスペーサ７９が介在されるようにしても良い。
【００５９】
ここで、スペーサ７９は、高さ調節用のものであり、二次樋３２の長手方向に対し、例えば、所要の間隔を有して複数設置される。スペーサ７９の高さは、各部の状況に応じて適宜設定される。このスペーサ７９は、台座プレート７１または二次樋３２の底部３２ａと一体に設けられても良いし、または、これらとは別体に設けられても良い。
【００６０】
＜作用効果＞この実施例によれば、以下のような作用効果を得ることができる。
屋根３に二次樋３２を設置する場合、まず、屋根フレーム１１の下側のフランジ部１１ｃに、側面視Ｌ字状をした台座プレート７１の固定部７４を取付ける（台座プレート仮付工程）。すると、台座プレート７１は、横面部７２が軒元側からの片持状態となる。次に、台座プレート７１の横面部７２の上に軒先側から横方向へ二次樋３２を挿入して二次樋３２を仮保持させる（二次樋配設および仮保持工程）。
そして、必要に応じて、二次樋３２の底部３２ａと上記台座プレート７１の横面部７２との間にスペーサ７９を介在させて高さ調整を行う（高さ調整工程）。更に、屋根フレーム１１の軒先側における上側のフランジ部１１ｂに、取付金具２５ａの上端部を固定すると共に、取付金具２５ａの下端側に台座プレート７１の固定部７５を取付けて台座プレート７１を本固定する（台座プレート取付工程）。最後に、取付金具２５ａの下端部に軒天井パネル材２３の軒先側の部分を取付ける。但し、二次樋３２の設置の手順は、上記に限るものではない。
【００６１】
（作用効果２−１）二次樋３２が、屋根３に対して樋支持部材５１を用いて取付けられるようにした。また、樋支持部材５１を、側面視Ｌ字状の台座プレート７１とした。これにより、側面視Ｌ字状の台座プレート７１を用いることで、二次樋３２を独立して屋根３に取付けることができるようになり、二次樋３２の取付作業を単純化することができる。
【００６２】
（作用効果２−２）そして、側面視Ｌ字状の台座プレート７１が、上記二次樋３２の底部３２ａを支持するための横面部７２と、この横面部７２の軒元側から上方へ延びる縦面部７３とを備えたものとされる。また、この台座プレート７１の縦面部７３の上端部に、上記屋根３を構成する屋根フレーム１１に固定するための固定部７４を設けた。このように、横面部７２と縦面部７３と固定部７４とを一体に有する側面視Ｌ字状の台座プレート７１を用いても、上記実施例１と同様に、台座プレート７１を簡単に屋根フレーム１１に取付けることや、二次樋３２を仮保持することや、作業負担を減らすことや、樋支持部材５１の構造を簡略化し共用化して部品バリエーションを少なくすることなどが可能になる。
【００６３】
（作用効果２−３）二次樋３２の底部３２ａと台座プレート７１の横面部７２との間にスペーサ７９が介在され得るようにしている。これにより、二次樋３２の高さ調整を容易に行うことができる。
【００６４】
なお、上記以外の構成、作用、効果については、上記実施例１と同様である。よって必要な場合には、実施例１の記載を以ってこの実施例の記載とすることができる。
【００６５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６６】
３      屋根
１１    屋根フレーム
２１    軒先部分
３１    軒樋
３２    二次樋
３２ａ  底部
５１    樋支持部材
５２    ボルト部材
６１    支持プレート
６６    高さ調整ナット
７１    台座プレート（樋支持部材）
７２    横面部
７３    縦面部
７４    固定部
７９    スペーサ
【図１】
0006693719.tif 000002
【図２】
0006693719.tif 000003
【図３】
0006693719.tif 000004
【図４】
0006693719.tif 000005
【図５】
0006693719.tif 000006
【図６】
0006693719.tif 000007
【図７】
0006693719.tif 000008
【図８】
0006693719.tif 000009
【図９】
0006693719.tif 000010
【図１０】
0006693719.tif 000011
【図１１】
0006693719.tif 000012
【図１２】
0006693719.tif 000013
【図１３】
0006693719.tif 000014
【図１４】
0006693719.tif 000015
【図１５】
0006693719.tif 000016
【図１６】
0006693719.tif 000017